(57)【要約】【課題】地図データの更新を必要とすることなくガソリンスタンドの状況変化に対応させて、各ガソリンスタンドのガソリン価格をガソリンスタンドのブランドを表すアイコンと並べて表示できるようにする。【解決手段】表示部１３に表示させるガソリンスタンドのブランドと地図データに格納されたガソリンスタンドのブランドを示すアイコンの対応関係を規定した対応関係情報に基づいて、放送波に含まれるガソリン価格情報に従って表示部に表示させるガソリンスタンドのブランドを決定し、このブランドに対応するアイコンを地図データより読み出して、ガソリン価格とアイコンを並べたガソリン価格表示画面を表示部１３に表示させる。【選択図】図１
2011257348.tif 000002
【特許請求の範囲】
【請求項１】
施設を表示するためのアイコンを格納した地図データを記憶した地図データ記憶媒体より地図データを読み出して生成した地図表示画面を表示部に表示させる機能を有する車載表示装置であって、
放送波を受信する受信手段と、
前記受信手段により受信された前記放送波に含まれるガソリン価格情報に従って前記表示部に表示させる前記ガソリンスタンドのブランドと前記地図データに格納されたガソリンスタンドのブランドを示すアイコンの対応関係を規定した対応関係情報を記憶する記憶手段と、
前記記憶手段に記憶された前記対応関係情報に基づいて、前記放送波に含まれる前記ガソリン価格情報に従って前記表示部に表示させるガソリンスタンドのブランドを決定するブランド決定手段と、
前記ブランド決定手段により決定された前記ガソリンスタンドのブランドに対応するアイコンを前記地図データより読み出して、前記放送波に含まれる前記ガソリン価格情報により示されるガソリン価格と前記ガソリンスタンドのブランドを示すアイコンを並べたガソリン価格表示画面を生成し、当該ガソリン価格表示画面を前記表示部に表示させるガソリン価格表示画面表示手段と、を備えたことを特徴とする車載表示装置。
【請求項２】
前記放送波に含まれる前記ガソリン価格情報に従って前記表示部に表示させる前記ガソリンスタンドのブランドに対応するアイコンが前記地図データに格納されているか否かを判定するアイコン格納判定手段と、
前記アイコン格納判定手段により前記ガソリン価格情報に従って前記表示部に表示させる前記ガソリンスタンドのブランドに対応するアイコンが前記地図データに格納されていると判定された場合、前記ガソリン価格情報に従って前記表示部に表示させる前記ガソリンスタンドのブランドと前記地図データに格納されたガソリンスタンドのブランドを示すアイコンを対応付けした対応関係情報を前記記憶手段に記憶させる記憶処理手段と、を備えたことを特徴とする請求項１に記載の車載表示装置。
【請求項３】
前記記憶処理手段は、前記アイコン格納判定手段により、前記ガソリン価格情報に従って前記表示部に表示させる前記ガソリンスタンドのブランドに対応するアイコンが前記地図データに格納されていないと判定された場合、前記ガソリン価格情報に従って前記表示部に表示させる前記ガソリンスタンドのブランドについて前記ガソリンスタンドの各ブランドを示すアイコンとは別に用意された各ガソリンスタンド共通のアイコンを対応付けした対応関係情報を前記記憶手段に記憶させることを特徴とする請求項２に記載の車載表示装置。
【請求項４】
前記ガソリン価格情報には、前記ガソリンスタンドの位置情報が含まれており、
前記ガソリン価格表示画面表示手段は、前記ガソリン価格情報より特定される前記ガソリンスタンドの地図上の位置に、前記放送波に含まれる前記ガソリン価格情報により示されるガソリン価格と前記ガソリンスタンドのブランドを示すアイコンを並べたガソリン価格表示画面を生成することを特徴とする請求項１ないし３のいずれか１つに記載の車載表示装置。
【請求項５】
前記ガソリン価格表示画面表示手段は、前記受信手段により受信された前記ガソリン価格情報より特定されるガソリンスタンドの前記ガソリン価格と前記アイコン特定手段により特定された前記アイコンを並べてリスト表示したガソリン価格表示画面を生成することを特徴とする請求項１に記載の車載表示装置。
【請求項６】
前記ガソリン価格表示画面表示手段は、前記ガソリン価格とともに、前記ガソリンスタンドとの距離および前記ガソリンスタンドの方向の少なくとも一方を含むようにガソリン価格案内表示画面を生成することを特徴とする請求項３に記載の車載表示装置。
【請求項７】
前記ガソリン価格表示画面には、当該ガソリン価格表示画面に表示させる項目の変更を指示するための操作部が含まれており、
前記ガソリン価格表示画面表示手段は、ユーザによる前記ガソリン価格表示画面に表示させる項目の変更を指示するための操作部に対する操作に応じて前記ガソリン価格表示画面に表示させる項目を変更することを特徴とする請求項１ないし６のいずれか１つに記載の車載表示装置。
【発明の詳細な説明】
【技術分野】
【０００１】
本発明は、施設を表示するためのアイコンを格納した地図データを記憶した地図データ記憶媒体より地図データを読み出して地図表示を行う機能を有する車載表示装置に関するものである。
【背景技術】
【０００２】
従来より、外部装置より配信される情報に基づいて、案内経路やアイコン等を用いた案内画面を表示させる装置が種々提案されている（例えば、特許文献１参照）。
【先行技術文献】
【特許文献】
【０００３】
【特許文献１】特開２００６−３９８８７号公報
【発明の概要】
【発明が解決しようとする課題】
【０００４】
現在、衛星ラジオ等の放送波を用いて配信されるガソリン価格情報を受信し、このガソリン価格情報に基づくガソリン価格を表示部に表示させる機能をナビゲーション装置等の車載表示装置に搭載することが検討されている。
【０００５】
このような車載表示装置においては、ユーザが瞬時にガソリン価格とガソリンスタンドのブランドを認識することができるように、各ガソリンスタンドのガソリン価格をガソリンスタンドのブランドを示すアイコンと並べて表示するのが望ましい。
【０００６】
しかしながら、このガソリン価格情報には、ガソリン価格、位置情報、電話番号等の情報は含まれるものの、ガソリンスタンドのブランドを示すアイコンを表示するための情報までは含まれない。このため、ガソリン価格情報に基づいて各ガソリンスタンドのガソリン価格をガソリンスタンドのブランドを示すアイコンを並べて表示するのは困難であるといった問題がある。
【０００７】
また、地図表示機能を備えた車載表示装置には、施設を表示するためのアイコンを格納した地図データを記憶した地図データ記憶媒体より地図データを読み出して、地図上のガソリンスタンドの位置にガソリンスタンドのブランドを示すアイコンを表示するものがある。したがって、このような地図上にガソリンスタンドのブランドを示すアイコンとガソリン価格を並べて表示させることも考えられる。しかし、このような構成では、地図データが最新のものに更新されていないと、ガソリンスタンドのブランドを表すアイコンの表示とガソリン価格の表示が不整合となり、ガソリンスタンドの新規開店、閉店、系列の変更等、ガソリンスタンドの状況変化に対応させて、ガソリン価格を表示させることができないといった問題がある。
【０００８】
本発明は上記問題に鑑みたもので、地図データの更新を必要とすることなくガソリンスタンドの状況変化に対応させて、各ガソリンスタンドのガソリン価格をガソリンスタンドのブランドを表すアイコンと並べて表示できるようにすることを目的とする。
【課題を解決するための手段】
【０００９】
上記目的を達成するため、請求項１に記載の発明は、施設を表示するためのアイコンを格納した地図データを記憶した地図データ記憶媒体より地図データを読み出して生成した地図表示画面を表示部に表示させる機能を有する車載表示装置であって、放送波を受信する受信手段と、受信手段により受信された放送波に含まれるガソリン価格情報に従って表示部に表示させるガソリンスタンドのブランドと地図データに格納されたガソリンスタンドのブランドを示すアイコンの対応関係を規定した対応関係情報を記憶する記憶手段と、記憶手段に記憶された対応関係情報に基づいて、放送波に含まれるガソリン価格情報に従って表示部に表示させるガソリンスタンドのブランドを決定するブランド決定手段と、ブランド決定手段により決定されたガソリンスタンドのブランドに対応するアイコンを地図データより読み出して、放送波に含まれるガソリン価格情報により示されるガソリン価格とガソリンスタンドのブランドを示すアイコンを並べたガソリン価格表示画面を生成し、当該ガソリン価格表示画面を表示部に表示させるガソリン価格表示画面表示手段と、を備えたことを特徴としている。
【００１０】
このような構成によれば、表示部に表示させるガソリンスタンドのブランドと地図データに格納されたガソリンスタンドのブランドを示すアイコンの対応関係を規定した対応関係情報に基づいて、放送波に含まれるガソリン価格情報に従って表示部に表示させるガソリンスタンドのブランドを決定し、このガソリンスタンドのブランドに対応するアイコンを地図データより読み出して、放送波に含まれるガソリン価格情報により示されるガソリン価格とガソリンスタンドのブランドを示すアイコンを並べたガソリン価格表示画面を生成し、当該ガソリン価格表示画面が表示部に表示される。すなわち、地図データの更新を必要とすることなくガソリンスタンドの状況変化に対応させて、各ガソリンスタンドのガソリン価格をガソリンスタンドのブランドを表すアイコンと並べて表示することができる。
【００１１】
また、請求項２に記載の発明は、放送波に含まれるガソリン価格情報に従って表示部に表示させるガソリンスタンドのブランドに対応するアイコンが地図データに格納されているか否かを判定するアイコン格納判定手段と、アイコン格納判定手段によりガソリン価格情報に従って表示部に表示させるガソリンスタンドのブランドに対応するアイコンが地図データに格納されていると判定された場合、ガソリン価格情報に従って表示部に表示させるガソリンスタンドのブランドと地図データに格納されたガソリンスタンドのブランドを示すアイコンを対応付けした対応関係情報を記憶手段に記憶させる記憶処理手段と、を備えたことを特徴としている。
【００１２】
このような構成によれば、ガソリン価格情報に従って表示部に表示させるガソリンスタンドのブランドに対応するアイコンが地図データに格納されていると判定された場合、ガソリン価格情報に従って表示部に表示させるガソリンスタンドのブランドと地図データに格納されたガソリンスタンドのブランドを示すアイコンを対応付けした対応関係情報が記憶手段に記憶されるので、この対応関係情報に基づいて、放送波に含まれるガソリン価格情報に従って表示部に表示させるガソリンスタンドのブランドを決定し、このガソリンスタンドのブランドに対応するアイコンを地図データより読み出して、放送波に含まれるガソリン価格情報により示されるガソリン価格とガソリンスタンドのブランドを示すアイコンを並べたガソリン価格表示画面を生成することができる。
【００１３】
また、請求項３に記載の発明は、記憶処理手段は、アイコン格納判定手段により、ガソリン価格情報に従って表示部に表示させるガソリンスタンドのブランドに対応するアイコンが地図データに格納されていないと判定された場合、ガソリン価格情報に従って表示部に表示させるガソリンスタンドのブランドについてガソリンスタンドの各ブランドを示すアイコンとは別に用意された各ガソリンスタンド共通のアイコンを対応付けした対応関係情報を記憶手段に記憶させることを特徴としている。
【００１４】
このような構成によれば、ガソリン価格情報に従って表示部に表示させるガソリンスタンドのブランドに対応するアイコンが地図データに格納されていないと判定された場合、ガソリン価格情報に従って表示部に表示させるガソリンスタンドのブランドについてガソリンスタンドの各ブランドを示すアイコンとは別に用意された各ガソリンスタンド共通のアイコンを対応付けした対応関係情報が記憶手段に記憶されるので、ガソリン価格情報に従って表示部に表示させるガソリンスタンドのブランドに対応するアイコンが地図データに格納されていなくても、ガソリンスタンドの各ブランドを示すアイコンとは別に用意された各ガソリンスタンド共通のアイコンとして、ガソリン価格表示画面に表示することができる。例えば、ガソリン価格情報に従って表示部に表示させるガソリンスタンドのブランドが全く新しいものであっても、各ガソリンスタンド共通のアイコンとして、ガソリン価格表示画面に表示することができる。
【００１５】
また、請求項４に記載の発明は、ガソリン価格情報には、ガソリンスタンドの位置情報が含まれており、ガソリン価格表示画面表示手段は、ガソリン価格情報より特定されるガソリンスタンドの地図上の位置に、放送波に含まれるガソリン価格情報により示されるガソリン価格とガソリンスタンドのブランドを示すアイコンを並べたガソリン価格表示画面を生成することを特徴としている。
【００１６】
このような構成によれば、ガソリン価格情報より特定されるガソリンスタンドの地図上の位置に、放送波に含まれるガソリン価格情報により示されるガソリン価格とガソリンスタンドのブランドを示すアイコンを並べたガソリン価格表示画面を生成されるので、ユーザは地図形式で各ガソリンスタンドのガソリン価格とアイコンを視認することができる。また、地図データを更新していなくても、あたかも最新の地図データに更新されているかのように、ユーザは地図形式で最新の各ガソリンスタンドの位置、ブランド、ガソリン価格等を視認することができる。
【００１７】
また、請求項５に記載の発明は、ガソリン価格表示画面表示手段は、受信手段により受信されたガソリン価格情報より特定されるガソリンスタンドのガソリン価格とアイコン特定手段により特定されたアイコンを並べてリスト表示したガソリン価格表示画面を生成することを特徴としている。
【００１８】
このような構成によれば、ガソリン価格情報より特定されるガソリンスタンドのガソリン価格とアイコン特定手段により特定されたアイコンを並べてリスト表示したガソリン価格表示画面が生成されるので、ユーザはリスト形式で各ガソリンスタンドのガソリン価格とアイコンを視認することができる。
【００１９】
また、請求項６に記載の発明は、ガソリン価格表示画面表示手段は、ガソリン価格とともに、ガソリンスタンドとの距離およびガソリンスタンドの方向の少なくとも一方を含むようにガソリン価格案内表示画面を生成することを特徴としている。
【００２０】
このような構成によれば、ガソリン価格とともに、ガソリンスタンドとの距離およびガソリンスタンドの方向の少なくとも一方を含むようにガソリン価格案内表示画面が生成されるので、ユーザはガソリン価格とともに、ガソリンスタンドとの距離およびガソリンスタンドの方向の少なくとも一方を容易に視認することができる。
【００２１】
また、請求項７に記載の発明は、ガソリン価格表示画面には、当該ガソリン価格表示画面に表示させる項目の変更を指示するための操作部が含まれており、ガソリン価格表示画面表示手段は、ユーザによるガソリン価格表示画面に表示させる項目の変更を指示するための操作部に対する操作に応じてガソリン価格表示画面に表示させる項目を変更することを特徴としている。
【００２２】
このように、ユーザによるガソリン価格表示画面に表示させる項目の変更を指示するための操作部に対する操作に応じてガソリン価格表示画面に表示させる項目を変更することができる。
【００２３】
なお、この欄および特許請求の範囲で記載した各手段の括弧内の符号は、後述する実施形態に記載の具体的手段との対応関係を示すものである。
【図面の簡単な説明】
【００２４】
【図１】本発明の第１実施形態に係る車載表示装置の構成を示す図である。
【図２】制御部による記憶制御処理のフローチャートである。
【図３】対応関係情報について説明するための図である。
【図４】制御部によるガソリン価格表示処理のフローチャートである。
【図５】地図形式のガソリン価格表示画面の表示例を示す図である。
【図６】地図表示画面の表示例を示す図である。
【図７】リスト形式のガソリン価格表示画面の表示例を示す図である。
【発明を実施するための形態】
【００２５】
（第１実施形態）
本発明の第１実施形態に係る車載表示装置の構成を図１に示す。本車載表示装置は、施設を表示するためのアイコンを格納した地図データを記憶した地図データ記憶媒体より地図データを読み出して生成した地図表示画面を表示部に表示させる機能を有するナビゲーション装置１として構成されている。ナビゲーション装置１は、受信部１０、地図データ取得部１１、位置検出器１２、表示部１３および制御部１４を備えている。
【００２６】
受信部１０は、衛星ラジオの放送波を受信するチューナを備え、当該チューナを用いて特定の受信周波数の放送波を受信するようになっている。
【００２７】
地図データ取得部１１は、地図データ記憶媒体に記憶された地図データを取得するための装置である。本実施形態では、地図データ記憶媒体としてハードディスクドライブが用いられている。
【００２８】
地図データには、各リンクの識別情報（リンクＩＤ）、始点座標、終点座標、距離、道路種別、道路幅員、道路形状、道路名、車線数等を表す道路データ、位置検出精度を向上するためのいわゆるマップマッチングデータ、川、湖、海、鉄道、施設などの位置、形状、名称を表す背景データ、各地の施設の名称、所在位置、施設種類、電話番号、施設を図柄で表示するためのアイコン等を示す施設データ等が含まれる。なお、各アイコンには、それぞれ識別情報が割り当てられている。また、ガソリンスタンドのアイコンには、ガソリンスタンドの各ブランド名を特定することが可能な情報（例えば、ブランド名）が関連付けられている。
【００２９】
位置検出器１２は、地磁気センサ、ジャイロスコープ、距離センサ、ＧＰＳ受信機（いずれも図示せず）等を用いて構成されており、これらより入力される現在位置を特定するための情報を制御部１４へ送出する。
【００３０】
表示部１３は、液晶等のディスプレイを有し、制御部１４より入力される映像信号に応じた映像をディスプレイに表示させる。また、表示部１３は、スピーカを有し、制御部１４より入力される音声信号に応じた音声をスピーカより出力させる。
【００３１】
制御部１４は、ＣＰＵ１４ａ、ＲＡＭ１４ｂ、ＲＯＭ１４ｃ、Ｉ／Ｏ１４ｄ等を備えたコンピュータとして構成されており、ＣＰＵ１４ａは、ＲＯＭ１４ｃに記憶されたプログラムに従って各種処理を実施する。
【００３２】
制御部１４の処理としては、位置検出器１２より入力される現在位置を特定するための情報に基づいて現在位置を特定する現在位置特定処理、地図データ取得部１１を介して現在位置周辺の地図データを取得して現在位置周辺の地図上に現在位置マークを重ねて表示させる地図表示処理等がある。
【００３３】
一方、情報センタ２には、衛星ラジオ放送用データを加工するサーバ２０が備えられており、このサーバ２０により加工された衛星ラジオ放送用データが放送装置２１より配信されるようになっている。
【００３４】
本ナビゲーション装置１の制御部１４は、受信部１０を用いて特定の受信周波数の衛星ラジオ放送を受信するとともに放送内容に応じた画面を表示部１３に表示させるとともに放送内容に応じた音声をスピーカより出力させる放送受信処理も実施する。
【００３５】
また、本実施形態では、衛星ラジオの放送波におけるデータ放送を用いて各ガソリンスタンドのガソリン価格を示したガソリン価格情報が配信されるようになっている。このガソリン価格情報には、各ガソリンスタンドのガソリン価格、位置情報、電話番号、ガソリンスタンドのブランドを特定することが可能な情報（例えば、ブランド名）、ガソリン価格の鮮度を特定することが可能な情報（例えば、ガソリン価格の調査日時）等が含まれている。また、ガソリン価格は、ハイオク、レギュラー、軽油等の油種毎に認識可能となっている。
【００３６】
制御部１４は、ガソリン価格情報に含まれるガソリンスタンドのブランドと地図データに含まれるガソリンスタンドのブランドを示すアイコンの対応関係を規定した対応関係情報をＲＡＭ１４ｂに記憶させる記憶制御処理と、この記憶制御処理によりＲＡＭ１４ｂに記憶された対応関係情報に基づいて、ガソリン価格情報より特定されるガソリンスタンドのガソリン価格とこのガソリンスタンドと関連付けられたアイコンを並べたガソリン価格表示画面を生成し、当該ガソリン価格表示画面を表示部１３に表示させるガソリン価格表示処理を実施する。
【００３７】
図２に、制御部１４による記憶制御処理のフローチャートを示す。車両のイグニッションスイッチがオン状態になるとナビゲーション装置１は動作状態となり、ユーザにより衛星放送の受信開始を指示する操作が実施されると、制御部１４は、受信部１０による衛星放送の受信を開始する。そして、受信部１０によりガソリン価格情報が受信されると、制御部１４は、図２に示す処理を実施する。
【００３８】
まず、ガソリン価格情報をＲＡＭ１４ｂに記憶させ（Ｓ１００）、次に、ガソリン価格情報に含まれる各ガソリンスタンドのブランドに対応するアイコンが地図データに格納されているか否かを判定する（Ｓ１０２）。具体的には、地図データに格納されているアイコンには、ガソリンスタンドの各ブランドを特定することが可能な情報（例えば、ブランド名）と各アイコンに割り当てられた識別情報が関連付けられており、このガソリンスタンドの各ブランドを特定することが可能な情報とガソリン価格情報に含まれる各ガソリンスタンドのブランドに基づいてガソリン価格情報に含まれる各ガソリンスタンドのブランドに対応するアイコンが地図データに格納されているか否かを判定する。
【００３９】
ここで、ガソリン価格情報に含まれる各ガソリンスタンドのブランドに対応するアイコンが地図データに格納されている場合、Ｓ１０２の判定はＹＥＳとなり、ガソリン価格情報に含まれるガソリンスタンドのブランドと、このブランドに対応するアイコンを関連付けした対応関係情報をＲＡＭ１４ｂに記憶させる（Ｓ１０４）。具体的には、図３に示すように、ガソリン価格情報に含まれるガソリンスタンドのブランド名と、このガソリンスタンドのブランド名に対応するアイコンに割り当てられた識別情報を関連付けてＲＡＭ１４ｂに記憶させる。なお、ガソリン価格情報に含まれるガソリンスタンドのブランド名に対応する全てのアイコンに対して関連付けを行う。
【００４０】
また、ガソリン価格情報に含まれる各ガソリンスタンドのブランドに対応するアイコンが地図データに格納されていない場合には、Ｓ１０２の判定はＮＯとなり、ガソリンスタンドの各ブランド用のアイコンとは別に用意された各ガソリンスタンド共通のアイコンを関連付けてＲＡＭ１４ｂに記憶させる（Ｓ１０６）。具体的には、ガソリン価格情報に含まれるガソリンスタンドのブランドに、ガソリンスタンドの各ブランド用のアイコンとは別に用意された各ガソリンスタンド共通のアイコンに割り当てられた識別情報を関連付けてＲＡＭ１４ｂに記憶させ、本処理を終了する。
【００４１】
図４に、ガソリン価格表示処理のフローチャートを示す。ユーザによりガソリン価格の表示を指示する操作が実施されると、制御部１４は、図３に示す処理を実施する。
【００４２】
まず、表示対象の施設を決定する（Ｓ２００）。本実施形態では、自車位置を中心とする一定領域を表示対象領域として、この表示対象領域内に位置するガソリンスタンドを、ガソリン価格情報に含まれるガソリンスタンドから抽出し、表示対象の施設として決定する。
【００４３】
次に、表示部に表示させる各ガソリンスタンドのブランドを特定する（Ｓ２０２）。具体的には、対応関係情報を参照して、Ｓ２００にて抽出した表示対象領域内の各ガソリンスタンドに対応するガソリンスタンドのブランドを示すアイコンを特定する。
【００４４】
次に、Ｓ２００にて抽出した表示対象領域内の各ガソリンスタンドのガソリン価格と、Ｓ２０２にて特定したアイコンを並べたガソリン価格表示画面を生成し、表示部に表示させ（Ｓ２０４）、本処理を終了する。
【００４５】
図５に、ガソリン価格表示画面の表示例を示す。本実施形態におけるガソリン価格表示画面は、ガソリン価格情報より特定されるガソリンスタンドの地図上の位置に、受信手段により受信されたガソリン価格情報より特定されるガソリン価格とアイコン特定手段により特定されたアイコンを並べたものとなっている。また、本実施形態におけるガソリン価格表示画面は、ガソリン価格を表示するために専用に生成された画面である。したがって、図６に示すような、一般的な地図表示画面とは別のガソリン価格表示画面が表示される。
【００４６】
図５に示すように、ガソリン価格表示画面にはガソリン価格情報により示されるガソリン価格とガソリンスタンドのブランドを示すアイコンを並べたガソリン価格が表示されている。
【００４７】
例えば、図６に示した地図表示画面におけるアイコン１００により示されているガソリンスタンドの系列がブランドＡからブランドＣに変更となった場合、地図データが最新のものに更新されていないと、図６に示した地図表示画面のようにアイコン１００はブランドＡのままとなる。
【００４８】
しかし、ガソリン価格情報は、ガソリンスタンドの新規開店、閉店、系列の変更等、ガソリンスタンドの状況変化に対応したものとなっているので、図５に示すガソリン価格表示画面では、アイコン１００はブランドＣとして表示される。
【００４９】
上記した構成によれば、表示部に表示させるガソリンスタンドのブランドと地図データに格納されたガソリンスタンドのブランドを示すアイコンの対応関係を規定した対応関係情報に基づいて、放送波に含まれるガソリン価格情報に従って表示部に表示させるガソリンスタンドのブランドを決定し、このガソリンスタンドのブランドに対応するアイコンを地図データより読み出して、放送波に含まれるガソリン価格情報により示されるガソリン価格とガソリンスタンドのブランドを示すアイコンを並べたガソリン価格表示画面を生成し、当該ガソリン価格表示画面が表示部に表示される。すなわち、地図データの更新を必要とすることなくガソリンスタンドの状況変化に対応させて、各ガソリンスタンドのガソリン価格をガソリンスタンドのブランドを表すアイコンと並べて表示することができる。
【００５０】
また、ガソリン価格情報に従って表示部に表示させるガソリンスタンドのブランドに対応するアイコンが地図データに格納されていると判定された場合、ガソリン価格情報に従って表示部に表示させるガソリンスタンドのブランドと地図データに格納されたガソリンスタンドのブランドを示すアイコンを対応付けした対応関係情報が記憶手段に記憶されるので、この対応関係情報に基づいて、放送波に含まれるガソリン価格情報に従って表示部に表示させるガソリンスタンドのブランドを決定し、このガソリンスタンドのブランドに対応するアイコンを地図データより読み出して、放送波に含まれるガソリン価格情報により示されるガソリン価格とガソリンスタンドのブランドを示すアイコンを並べたガソリン価格表示画面を生成することができる。
【００５１】
また、ガソリン価格情報に従って表示部に表示させるガソリンスタンドのブランドに対応するアイコンが地図データに格納されていないと判定された場合、ガソリン価格情報に従って表示部に表示させるガソリンスタンドのブランドについてガソリンスタンドの各ブランドを示すアイコンとは別に用意された各ガソリンスタンド共通のアイコンを対応付けした対応関係情報が記憶手段に記憶されるので、ガソリン価格情報に従って表示部に表示させるガソリンスタンドのブランドに対応するアイコンが地図データに格納されていなくても、ガソリンスタンドの各ブランドを示すアイコンとは別に用意された各ガソリンスタンド共通のアイコンとして、ガソリン価格表示画面に表示することができる。例えば、ガソリン価格情報に従って表示部に表示させるガソリンスタンドのブランドが全く新しいものであっても、各ガソリンスタンド共通のアイコンとして、ガソリン価格表示画面に表示することができる。
【００５２】
また、ガソリン価格情報より特定されるガソリンスタンドの地図上の位置に、放送波に含まれるガソリン価格情報により示されるガソリン価格とガソリンスタンドのブランドを示すアイコンを並べたガソリン価格表示画面を生成されるので、ユーザは地図形式で各ガソリンスタンドのガソリン価格とアイコンを視認することができる。また、地図データを更新していなくても、あたかも最新の地図データに更新されているかのように、ユーザは地図形式で最新の各ガソリンスタンドの位置、ブランド、ガソリン価格等を視認することができる。
【００５３】
（第２実施形態）
上記第１実施形態では、ガソリン価格情報より特定されるガソリンスタンドの地図上の位置に、受信部１０により受信されたガソリン価格情報より特定されるガソリン価格とアイコンを並べたガソリン価格表示画面を生成したが、本実施形態では、図７に示すように、ガソリン価格情報より特定されるガソリン価格とアイコンを並べてリスト表示するようになっている。
【００５４】
このガソリン価格表示画面では、ガソリン価格とともに、現在位置とガソリンスタンドとの距離および現在位置を基準としたガソリンスタンドの方向を含むようにガソリン価格案内表示画面が生成され、当該ガソリン価格表示画面が表示部１３に表示される。
【００５５】
また、このガソリン価格表示画面には、当該ガソリン価格表示画面に表示させる項目の変更を指示するための操作部が含まれており、ユーザによるガソリン価格表示画面に表示させる項目の変更を指示するための操作部に対する操作に応じてガソリン価格表示画面に表示させる項目が変更されるようになっている。
【００５６】
具体的には、ガソリン価格表示画面に表示された「並べ替え」スイッチに対する操作に応じて、ガソリンスタンドのブランド順、現在位置とガソリンスタンドとの距離順、ガソリン価格順といったように、並べ替えを行うことが可能となっている。
【００５７】
また、ガソリン価格情報に含まれるガソリン価格の鮮度を特定することが可能な情報に基づいて、例えば、ガソリン価格を調査した日時が一日以内のガソリン価格のみを表示するといったように、ガソリン価格表示画面に表示させるガソリン価格をフィルタリングすることが可能となっている。
【００５８】
また、ガソリン価格情報に含まれるガソリン価格を、例えば、レギュラーのみといったように、油種に応じてガソリン価格表示画面に表示させるガソリン価格をフィルタリングすることも可能となっている。
【００５９】
上記した構成によれば、ガソリン価格情報より特定されるガソリンスタンドのガソリン価格とアイコン特定手段により特定されたアイコンを並べてリスト表示したガソリン価格表示画面が生成されるので、ユーザはリスト形式で各ガソリンスタンドのガソリン価格とアイコンを視認することができる。
【００６０】
また、ガソリン価格とともに、ガソリンスタンドとの距離およびガソリンスタンドの方向の少なくとも一方を含むようにガソリン価格案内表示画面が生成されるので、ユーザはガソリン価格とともに、ガソリンスタンドとの距離およびガソリンスタンドの方向の少なくとも一方を容易に視認することができる。
【００６１】
（その他の実施形態）
上記実施形態では、受信部１０により受信された放送波に含まれるガソリン価格情報により示されるガソリンスタンドのブランド名と地図データに格納されたガソリンスタンドのブランドを示すアイコンの対応関係を規定した対応関係情報をＲＡＭ１ｂに記憶させる処理を実施したが、このような処理を実施することなく、予め放送波に含まれるガソリン価格情報に含まれるガソリンスタンドのブランド名と地図データに含まれるガソリンスタンドのブランドを示すアイコンの対応関係を規定した対応関係情報をＲＯＭ１４ｃ等の記憶媒体に記憶させておくようにしてもよい。
【００６２】
また、上記実施形態では、ナビゲーション装置を用いて車載表示装置を構成したが、ナビゲーション装置以外の地図表示装置の表示が可能な装置を用いて、車載表示装置を構成するようにしてもよい。
【００６３】
また、上記実施形態では、地図データ記憶媒体としてハードディスクドライブを用いた地図データ取得部１１より地図データを読み出す構成を示したが、地図データ記憶媒体としては、ハードディスクドライブに限定されるものではなく、ＣＤ、ＤＶＤ、メモリカード等を用いるようにしてもよい。
【００６４】
また、上記第２実施形態では、ガソリン価格とともに、ガソリンスタンドとの距離およびガソリンスタンドの方向の両方を表示したが、ガソリンスタンドとの距離およびガソリンスタンドの方向のいずれか一方を表示するようにしてもよい。
【００６５】
なお、上記実施形態における構成と特許請求の範囲の構成との対応関係について説明すると、受信部１０が受信手段に相当し、ＲＡＭ１４ｂおよびＲＯＭ１４ｃが記憶手段に相当し、Ｓ２０２がブランド決定手段に相当し、Ｓ２０４がガソリン価格表示画面表示手段に相当し、Ｓ１０２がアイコン格納判定手段に相当し、Ｓ１０４、Ｓ１０６が記憶処理手段に相当する。
【符号の説明】
【００６６】
１    ナビゲーション装置
２    情報センタ
１０  受信部
１１  地図データ取得部
１２  位置検出器
１３  表示部
１４  制御部
２０  サーバ
２１  放送装置
【図１】
2011257348.tif 000003
【図２】
2011257348.tif 000004
【図３】
2011257348.tif 000005
【図４】
2011257348.tif 000006
【図５】
2011257348.tif 000007
【図６】
2011257348.tif 000008
【図７】
2011257348.tif 000009